(57)【要約】【課題】１つの電源供給装置で、突入電流を考慮することなく複数の表示装置を接続し、安全に駆動できるようにすることを目的とする。【解決手段】装置に電源を供給する電源回路２１と、この電源回路２１の動作を制御する制御部２２と、この制御部２２に他のプラズマディスプレイ装置の動作状態を伝達する情報入力部２３と、前記制御部２２からの電源立上げ情報に基づき他のプラズマディスプレイ装置に動作状態を伝達する情報出力部２４とを備え、複数台のプラズマディスプレイ装置を接続して使用する場合に、各プラズマディスプレイ装置の電源回路２１を順次立ち上げるように制御する。【選択図】　図１
2004126453.tif 000002
【特許請求の範囲】
【請求項１】
装置に電源を供給する電源回路と、この電源回路の動作を制御する制御部と、この制御部に他の表示装置の動作状態を伝達する情報入力部と、前記制御部からの電源立上げ情報に基づき他の表示装置に動作状態を伝達する情報出力部とを備え、複数台の表示装置を接続して使用する場合に、各表示装置の電源回路を順次立ち上げるように制御することを特徴とする表示装置。
【発明の詳細な説明】
【０００１】
【発明の属する技術分野】
本発明は、プラズマディスプレイ装置などの表示装置に関するものである。
【０００２】
【従来の技術】
プラズマディスプレイ装置は、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
一般に、このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００４】
まず、プラズマディスプレイ装置におけるプラズマディスプレイパネルの構造について図４を用いて説明する。図４に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００５】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００６】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００７】
図５にこのプラズマディスプレイパネルの電極配列を示しており、図５に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【０００８】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【０００９】
図６に、本実施の形態におけるプラズマディスプレイ装置の表示駆動回路の構成を示している。図６に示すように、図４に示す構成のプラズマディスプレイパネル（ＰＤＰ）１０、アドレスドライバ回路１１、スキャンドライバ回路１２、サステインドライバ回路１３、放電制御タイミング発生回路１４、電源回路１５、１６、Ａ／Ｄコンバータ（アナログ・デジタル変換器）１７、走査数変換部１８、及びサブフィールド変換部１９を備えている。
【００１０】
図６の回路において、まず、映像信号ＶＤは、Ａ／Ｄコンバータ１７に入力される。また、水平同期信号Ｈ及び垂直同期信号Ｖは放電制御タイミング発生回路１４、Ａ／Ｄコンバータ１７、走査数変換部１８、サブフィールド変換部１９に与えられる。Ａ／Ｄコンバータ１７は、映像信号ＶＤをデジタル信号に変換し、その画像データを走査数変換部１８に与える。
【００１１】
走査数変換部１８は、画像データをＰＤＰ１０の画素数に応じたライン数の画像データに変換し、各ラインごとの画像データをサブフィールド変換部１９に与える。サブフィールド変換部１９は、各ラインごとの画像データの各画素データを複数のサブフィールドに対応する複数のビットに分割し、各サブフィールドごとに各画素データの各ビットをアドレスドライバ回路１１にシリアルに出力する。アドレスドライバ回路１１は、電源回路１５に接続されており、サブフィールド変換部１９から各サブフィールドごとにシリアルに与えられるデータをパラレルデータに変換し、そのパラレルデータに基づいて複数のアドレス電極に電圧を供給する。
【００１２】
放電制御タイミング発生回路１４は、水平同期信号Ｈおよび垂直同期信号Ｖを基準として、放電制御タイミング信号ＳＣ、ＳＵを発生し、各々スキャンドライバ回路１２およびサステインドライバ回路１３に与える。スキャンドライバ回路１２は、出力回路１２１及びシフトレジスタ１２２を有する。また、サステインドライバ回路１３は、出力回路１３１及びシフトレジスタ１３２を有する。これらのスキャンドライバ回路１２及びサステインドライバ回路１３は共通の電源回路１６に接続されている。
【００１３】
スキャンドライバ回路１２のシフトレジスタ１２２は、放電制御タイミング発生回路１４から与えられる放電制御タイミング信号ＳＣを垂直走査方向にシフトしつつ出力回路１２１に与える。出力回路１２１は、シフトレジスタ１２２から与えられる放電制御タイミング信号ＳＣに応答して複数のスキャン電極に順に駆動信号電圧を供給する。
【００１４】
サステインドライバ回路１３のシフトレジスタ１３２は、放電制御タイミング発生回路１４から与えられる放電制御タイミング信号ＳＵを垂直走査方向にシフトしつつ出力回路１３１に与える。出力回路１３１は、シフトレジスタ１３２から与えられる放電制御タイミング信号ＳＵに応答して複数のサステイン電極に順に駆動信号電圧を供給する（特許文献１参照）。
【００１５】
このようなプラズマディスプレイ装置は、大画面の表示が可能ということで、各種の用途に使用されているが、複数台のプラズマディスプレイ装置を接続して設置し、情報を表示する機器として使用されることも行われている。
【００１６】
【特許文献１】
特開平０９−３０７８３７号公報
【００１７】
【発明が解決しようとする課題】
ところで、一般に知られているように、装置に電源を供給し、起動する際には、その装置で規定されている定常時の電流より大きな突入電流と呼ばれる電流が生じることから、複数台のプラズマディスプレイ装置を接続して設置し、１つの電源供給装置から、複数台のプラズマディスプレイ装置に電源を供給する場合には、全装置を同時に起動できなく、また全装置を同時に起動させたい場合には、電源供給装置の供給能力より、合計電流量の少ない装置数しか接続できない。
【００１８】
本発明はこのような課題を解決し、１つの電源供給装置で、突入電流を考慮することなく複数の装置を接続し、安全に駆動できるようにすることを目的とするものである。
【００１９】
【課題を解決するための手段】
上記目的を達成するために本発明は、装置に電源を供給する電源回路と、この電源回路の動作を制御する制御部と、この制御部に他の表示装置の動作状態を伝達する情報入力部と、前記制御部からの電源立上げ情報に基づき他の表示装置に動作状態を伝達する情報出力部とを備え、複数台の表示装置を接続して使用する場合に、各表示装置の電源回路を順次立ち上げるように制御することを特徴とするものである。
【００２０】
この構成により、複数台接続して使用する場合に、全装置が同時に起動せず、１台づつ順次起動することとなり、動作の開始時に生じる突入電流により、電源供給に過大な負荷が生じることを回避することができる。
【００２１】
【発明の実施の形態】
以下、本発明の一実施の形態によるプラズマディスプレイ装置について、図１〜図３を用いて説明するが、本発明の実施の態様はこれに限定されるものではない。
【００２２】
図１は本発明の一実施の形態によるプラズマディスプレイ装置の電源制御部分を示すブロック図であり、プラズマディスプレイ装置２０は、装置に電源を供給する電源回路２１と、この電源回路２１の動作を制御する制御部２２と、この制御部２２に他のプラズマディスプレイ装置の動作状態を伝達する情報入力部２３と、前記制御部２２からの電源立上げ情報に基づき他のプラズマディスプレイ装置に動作状態を伝達する情報出力部２４とを備えている。なお、プラズマディスプレイ装置２０を駆動させるための駆動回路と電源回路２１の接続関係は、図６に示す構成と同様な構成である。
【００２３】
ここで、図２に、図１に示す回路において、情報入力部２３と情報出力部２４の制御動作の概略を示しており、経路Ａは制御部２２が動作していない場合の情報伝達経路、経路Ｂは制御部２２が動作している場合の情報伝達経路である。図２に示すように、情報入力部２３と情報出力部２４は、制御部２２が動作を開始するまでは、接続された状態となっており、接続された１台の装置に障害が発生しても、全体の情報の伝達は維持され、他の装置は、立ち上げを正常に実施することが可能である。
【００２４】
すなわち、本発明のプラズマディスプレイ装置は、情報入力部２３、制御部２２が他のプラズマディスプレイ装置の立ち上げ終了を認識するまで、電源回路２１の立ち上げを開始しない動作を行う。そして、自らの立ち上げを終了するまで、情報出力部２４を通して他のプラズマディスプレイ装置に立ち上げを通知しないため、複数台接続して使用する場合に、全装置が同時に起動せず、１台づつ順次起動することとなり、動作の開始時に生じる突入電流により、電源供給に過大な負荷が生じることを回避することができる。
【００２５】
図３に複数台のプラズマディスプレイ装置を接続して設置する場合の接続例を示している。２５は複数台のプラズマディスプレイ装置２０に電源を供給する電源供給装置である。
【００２６】
【発明の効果】
以上の説明から明らかなように、本発明の表示装置によれば、１つの電源供給装置から一斉に電源の供給を開始された場合においても、接続された各装置が一斉に電源の立ち上げを行うことがなく、突入電流が最小限に抑えられ、電源供給装置に過大な負荷を与えることなく、システムの立ち上げが行えるだけでなく、１つの電源供給装置に対して、その電力供給能力分の装置を接続することが可能となるという効果が得られる。
【図面の簡単な説明】
【図１】本発明の一実施の形態によるプラズマディスプレイ装置の概略構成を示すブロック図
【図２】同装置の制御部の制御動作の概略を示す説明図
【図３】同装置を複数台接続する場合の接続例を示すブロック図
【図４】プラズマディスプレイ装置のパネルの概略構成を示す斜視図
【図５】同プラズマディスプレイ装置のパネルの電極配列を示す説明図
【図６】同プラズマディスプレイ装置の表示駆動回路の一例を示すブロック回路図
【符号の説明】
２０　プラズマディスプレイ装置
２１　電源回路
２２　制御部
２３　情報入力部
２４　情報出力部
【図１】
2004126453.tif 000003
【図２】
2004126453.tif 000004
【図３】
2004126453.tif 000005
【図４】
2004126453.tif 000006
【図５】
2004126453.tif 000007
【図６】
2004126453.tif 000008